(57)【要約】【課題】  きめ細かにユーザが希望する番組を予め設定することが可能なデジタルデータ受信機を提供することを目的とする。【解決手段】  放送データを受信するための受信部（１２）と、優先番組ジャンルを所定の条件毎に設定するための設定部（５０、７０）と、番組情報を取得するための番組情報取得部（１６）と、番組情報の中からユーザが設定した所定の条件毎に優先番組ジャンルに対応する番組を検索して検索された優先番組の放送データを出力するように受信部を制御する制御部（３４）と、を有するデジタルデータ受信機。【選択図】      図１
2006074455.tif 000002
【特許請求の範囲】
【請求項１】
デジタルデータ受信機であって、
放送データを受信するための受信部と、
優先番組ジャンルを、所定の条件毎に設定するための設定部と、
番組情報を取得するための番組情報取得部と、
前記番組情報の中から、ユーザが設定した前記所定の条件毎に、前記優先番組ジャンルに対応する番組を検索して、検索された優先番組の放送データを出力するように前記受信部を制御する制御部と、
を有することを特徴とするデジタルデータ受信機。
【請求項２】
前記所定の条件は、ユーザ、日にち、曜日、時刻、時間帯又はチャンネルを示す、請求項１に記載のデジタルデータ受信機。
【請求項３】
前記制御部は、検索された優先番組が複数存在する場合、複数の優先番組の番組情報を出力する、請求項１又は２に記載のデジタルデータ受信機。
【請求項４】
車載用のデジタルデータ受信機であって、
放送データを受信するための受信部と、
優先番組ジャンルを、地域毎に設定するための設定部と、
地域別に番組情報を取得するための番組情報取得部と、
車両の位置情報を取得するための位置情報取得部と、
前記地域別の番組情報及び前記位置情報に基づいて、現在車両が位置する地域の番組情報の中から、地域毎に設定された前記優先番組ジャンルに対応する番組を検索して、検索された番組の放送データを出力するように前記受信部を制御する制御部と、
を有することを特徴とするデジタルデータ受信機。
【請求項５】
デジタルデータ受信機であって、
複数の受信チャネルにおける放送データを受信するための受信部と、
優先番組ジャンルを設定するための設定部と、
番組情報を取得するための番組情報取得部と、
受信チャンネルを順次更新しながら、設定された優先番組ジャンルに対応する番組を検索し、前記優先番組ジャンルに合致した番組を発見した場合には、検索された番組の放送データ出力するように前記受信部を制御する制御部と、
を有することを特徴とするデジタルデータ受信機。
【請求項６】
さらに、前記放送データの受信電界の状態を検出するための受信電界検出部を有し、
前記制御部は、前記受信電界検出部によって更新された受信チャンネル毎に放送データの受信電界の状態を検出し、受信電界が良好であって且つ前記優先番組ジャンルに合致した番組を発見した場合には、検索された番組の放送データ出力するように前記受信部を制御する、請求項６に記載のデジタルデータ受信機。
【請求項７】
デジタルデータ受信機であって、
複数の受信チャネルにおける放送データを受信するための受信部と、
前記放送データの受信電界の状態を検出するための受信電界検出部と、
番組情報を取得するための番組情報取得部と、
受信チャンネルを順次更新しながら、前記受信電界検出部によって更新された受信チャンネル毎に放送データの受信電界の状態を検出し、受信電界が良好な場合には、更新された受信チャンネルの放送データを出力するように前記受信部を制御する制御部と、
を有することを特徴とするデジタルデータ受信機。
【請求項８】
さらに、優先番組ジャンルを設定するための設定部を有し、
前記制御部は、受信電界が良好であって且つ前記優先番組ジャンルに合致した番組を発見した場合には、検索された番組の放送データ出力するように前記受信部を制御する、請求項６に記載のデジタルデータ受信機。
【請求項９】
前記優先番組ジャンルは、ユーザ毎、日にち毎、曜日毎、時刻毎、時間帯毎又はチャンネル毎に設定することができる、請求項４、５、６及び８の何れか一項に記載のデジタルデータ受信機。
【請求項１０】
前記制御部が放送データを出力した更新されたチャンネルを選択するためのスイッチをさらに有する、請求項５〜９の何れか一項に記載のデジタルデータ受信機。
【発明の詳細な説明】
【技術分野】
【０００１】
本発明は、予めユーザにより設定されたジャンルの番組を検索して、検索された番組の放送データを出力するデジタル放送受信機等のデジタルデータ受信機に関するものである。
【背景技術】
【０００２】
デジタル放送受信装置において、チャネル毎に複数のジャンルを付加して放送されるデジタル放送の中から、予め指定されたジャンルを有するチャンネルを検索して受信可能とするデジタル放送受信装置が知られている（例えば、特許文献１）。
【０００３】
また、デジタル放送受信装置において、例えば表示画面を４分割、又は大画面、中画面及び小画面に分割して一度に表示すると言うように、ユーザが設定した表示画面数や表示形態等に応じて、受信した放送データを表示することが知られている（例えば、特許文献２）。
【０００４】
【特許文献１】特開２００２−７７７５９号公報（２頁、図２）
【特許文献２】特平８−２６５６６２号公報（図４、図５）
【発明の開示】
【発明が解決しようとする課題】
【０００５】
ユーザが視聴したい番組のジャンルは、曜日、時間帯、地域等の状況に応じて大きく変化する。従って、従前のように、優先して表示したい番組のジャンルのみを設定しても、ユーザの希望に合うような番組の放送データが常に表示されることが少ないという不具合が生じていた。
【０００６】
また、車両にデジタルデータ受信機を搭載した場合、チャンネル、番組内容及び放送局等が異なる地域に車両が移動してしまうと、予め設定されている内容が意味をなさなくなるという不具合が生じていた。
【０００７】
さらに、車両にデジタルデータ受信機を搭載した場合、放送局と車両との位置関係によって、受信電界が良好な番組とそうでない番組が混在することとなり、予め設定された内容通りに番組の放送データを出力しても適切に表示を行うことができないという不具合が生じていた。
【０００８】
そこで、本発明は、きめ細かにユーザが希望する番組を予め設定することが可能なデジタルデータ受信機を提供することを目的とする。
【０００９】
また、本発明は、車両にデジタルデータ受信機を搭載し、車両が異なる放送地域を横切って移動する場合であっても、予めユーザが希望する番組を予め設定することが可能なデジタルデータ受信機を提供することを目的とする。
【００１０】
さらに、本発明は、受信電界の状態を考慮しつつ、ユーザが希望する番組を予め設定することが可能なデジタルデータ受信機を提供することを目的とする。
【課題を解決するための手段】
【００１１】
上記課題を解決するために、本発明に係るデジタルデータ受信機は、放送データを受信するための受信部と、優先番組ジャンルを所定の条件毎に設定するための設定部と、番組情報を取得するための番組情報取得部と、番組情報の中からユーザが設定した所定の条件毎に優先番組ジャンルに対応する番組を検索して検索された優先番組の放送データを出力するように受信部を制御する制御部と、を有することを特徴とする。きめ細かなユーザ設定に応じた番組を表示できるように構成した。
【００１２】
また、上記課題を解決するために、本発明に係る車載用デジタルデータ受信機は、放送データを受信するための受信部と、優先番組ジャンルを地域毎に設定するための設定部と、地域別に番組情報を取得するための番組情報取得部と、車両の位置情報を取得するための位置情報取得部と、地域別の番組情報及び位置情報に基づいて現在車両が位置する地域の番組情報の中から地域毎に設定された優先番組ジャンルに対応する番組を検索して検索された番組の放送データを出力するように受信部を制御する制御部と、を有することを特徴とする。チャンネル、番組内容及び放送局等が異なる地域に車両が移動してしまった場合でも、ユーザが予め設定した内容の番組を検索して表示できるように構成した。
【００１３】
さらに、上記課題を解決するために、本発明に係るデジタルデータ受信機は、複数の受信チャネルにおける放送データを受信するための受信部と、優先番組ジャンルを設定するための設定部と、番組情報を取得するための番組情報取得部と、受信チャンネルを順次更新しながら設定された優先番組ジャンルに対応する番組を検索し、優先番組ジャンルに合致した番組を発見した場合には検索された番組の放送データ出力するように受信部を制御する制御部と、を有することを特徴とする。チャンネルスキャンを行いながら、ユーザが設定したジャンルに合致した番組を順次出力するように構成した。
【００１４】
さらに、上記課題を解決するために、本発明に係るデジタルデータ受信機は、複数の受信チャネルにおける放送データを受信するための受信部と、放送データの受信電界の状態を検出するための受信電界検出部と、番組情報を取得するための番組情報取得部と、受信チャンネルを順次更新しながら受信電界検出部によって更新された受信チャンネル毎に放送データの受信電界の状態を検出し、受信電界が良好な場合には更新された受信チャンネルの放送データを出力するように受信部を制御する制御部と、を有することを特徴とする。チャンネルスキャンを行いながら、受信電界が良好な番組を順次出力するように構成した。
【発明の効果】
【００１５】
本発明によるデジタルデータ受信機によれば、きめ細かにユーザが希望する番組を予め設定することが可能となった。
【００１６】
また、本発明によるデジタルデータ受信機によれば、車両が放送地区を横切って移動する場合であっても、予めユーザが希望する番組を設定することが可能なとなった。
【００１７】
さらに、本発明によるデジタルデータ受信機によれば、受信電界の状態を考慮しつつ、ユーザが希望する番組を予め設定することが可能となった。
【発明を実施するための最良の形態】
【００１８】
以下図面を参照して、本発明に係るデジタルデータ（放送）受信機について説明する。
【００１９】
図１は、本発明に係わるデジタルデータ受信機１０の概要を示すブロック図である。図１において、デジタルデータ受信機１０は、ＲＦベースバンド処理部１２、ＯＦＤＭ復調処理部１４、ＴＳデコード部１６、オーデイオデコーダ１８、第１ビデオデコーダ２０、第２ビデオデコーダ２２、映像切換処理部２４、提示処理部２６、遅延回路３０、Ｄ／Ａ変換器３１、記憶部３２、制御部３４、Ｉ／Ｏ３６及びシステムバス３８等から構成されている。また、デジタルデータ受信機１０は、アンテナ４０、車載用のディスプレイ５０及びスピーカ６０、リモコン７０及びナビゲーション装置８０と接続されている。
【００２０】
デジタルデータ受信機１０は、リモコン７０及び／又はディスプレイ５０に設けられた各種入力操作装置（ボタン、タッチパネル等）からの操作入力によって制御される。さらに、デジタルデータ受信機１０は、少なくとも、ナビゲーション装置８０に設けられたＧＰＳ情報受信部８２から車両の位置情報を受信できるように構成されている。なお、デジタルデータ受信機１０に、前述したアンテナ４０、車載用のディスプレイ５０及びスピーカ６０、リモコン７０及びナビゲーション装置８０の何れか１つ又は複数を含むように構成しても良い。
【００２１】
ＲＦベースバンド処理部１２は、アンテナ４０より受信放送波を受信し、所望の帯域に存在するＯＦＤＭ（Orthogonal Frequency Division Multiplexing）信号を抽出して、内蔵するＡＧＣ（Auto Gain Control）回路によってレベル調整後、ＯＦＤＭ復調処理部１４へ送る。なお、ＯＦＤＭ信号は、ＡＧＣ信号によって、所望のレベルに制御される。
【００２２】
ＯＦＤＭ復調処理部１４は、デジタル変調されたＯＦＤＭ信号の復調を行い、誤り訂正処理等を行って、ＴＳ（トランスポート・ストリーム）パケット信号をＴＳデコード部１６へ送る。また同時に、ＯＦＤＭ復調処理部１４は、エラー信号（パケットのヘッダ部のトランスポート・エラー信号）を受信電界状態を判断するためにシステムバス３８を介して制御部３４へ送る。
【００２３】
ＴＳデコード部１６は、ＴＳパケット信号を、音声データ、第１映像データ及び第２映像データに分離し、それぞれオーデイオデコーダ１８、第１ビデオデコーダ２０及び第２ビデオデコーダ２２に送る。ここで、第１映像データは、家庭用の一般向け放送に対応し、ＭＰＥＧ２方式によって符号化された符号化データ（以下、「弱階層データ」と言う）である。また、第２映像データは、携帯受信用のモバイル放送に対応し、ＭＰＥＧ４方式又はＨ．２６４方式（ＭＰＥＧ−４Ｐａｒｔ１０としても知られる映像圧縮方式の一つ）によって符号化された符号化データ（以下、「強階層データ」と言う）である。
【００２４】
また、ＴＳデコード部１６は、同時にＴＳパケット信号からＥＰＧ（電子番組案内）データを取得する。ＥＰＧデータは、システムバス３８を介して記憶部３２へ送られて記憶される。
【００２５】
ＯＦＤＭ方式では、同時に３種類の信号キャリアを搬送することができるので、最大３種類の映像データをＴＳデコード部１６から分離することができるが、本実施形態では、ＭＰＥＧ２方式と、ＭＰＥＧ４方式又はＨ．２６４方式とで符号化された２種類の符号化データを取扱っている。しかしながら、これに限定されることなく、第３のビデオデコーダを設けることもできる。
【００２６】
オーデイオでコーダ１８からの音声データは、制御部３４の制御によって遅延回路３０にて所定の遅延処理がなされ、映像データと同期を取った後、Ｄ／Ａ変換器３１によってアナログ信号に変換されて、スピーカ６０から出力される。
【００２７】
また、第１及び第２ビデオデコーダ２０及び２２からの映像データは、制御部３４の制御によって映像切換処理部２４で何れか一方が選択され、提示処理部２６を介してディスプレイ５０で表示される。
【００２８】
制御部３４は、ＣＰＵ、ＲＡＭ及びＲＯＭ等により構成され、予めインストールされているプログラムにしたがって動作し、システムバス３８と接続されている各要素の制御を行う。また、制御部３４は、ＯＦＤＭ復調処理部１４から、各階層毎のエラー信号を受信し、エラー信号に基づいて各階層毎に受信電界の状態を判断する。本実施形態では、制御部３４は、所定数（例えば１０００個）のＴＳパケット信号に対して所定数以上（例えば６個以上）のエラー信号を受信した場合には、受信電界不良と判断する。さらに、制御部３４は、受信電界の状態に基づいて映像切換処理部２４等を制御し、映像データ及び音声データの切換え制御を行うことができる。
【００２９】
弱階層の映像データ及び音声データは、ＭＰＥＧ２方式で符号化された符号化データによるものであって、高品質であるが、ビットレートが高いことからノイズ耐性が弱く、放送局からの距離が長くなると、良好な受信が困難となる場合がある。これに対して、強階層の映像データ及び音声データは、ＭＰＥＧ４方式又はＨ．２６４方式で符号化された符号化データによるものであって、ＭＰＥＧ２方式に比べるとビットレートが低いため、ノイズ耐性が強く、放送局からの距離がより長くなっても良好に受信することが可能となる。
【００３０】
提示処理部２８は、選択された弱階層又は強階層の映像データを、ディスプレイ５０（８００×４８０画素）に適合させて表示させるための処理部であって、映像データを一時記憶するためのＶＲＡＭ等の記憶部や映像データの演算処理を行うための演算処理部等を有している。
【００３１】
図２に、ユーザが希望する番組を設定するための設定画面１００の一例を示す。設定画面１００は、ディスプレイ５０の表示画面上に表示され、リモコン７０により設定入力操作が行われる。なお、図２に示したファンクションボタンＦ１〜Ｆ８（５２）及び電源ＯＮボタン５４はハードスイッチであり、ディスプレイ５０の表示画面上に表示された登録ボタン１１０、変更ボタン１１１、戻るボタン１１２及び中止ボタン１１３は、ディスプレイ５０の表示画面上に設けられた透明タッチパネルにより入力可能なソフトスイッチである。
【００３２】
設定画面１００では、優先順位１０１を設定して、ユーザ名１０２、地域１０３、日にち１０４、曜日１０５、時刻１０６、時間帯１０７及び／又はチャンネル１０８毎に、ユーザ希望する番組ジャンル１０９を予め設定することができる。なお、優先順位１０１は、複数（例えば優先順位１〜３）設定できるように構成されている。
【００３３】
地域１０３は、チャンネル、番組内容及び放送局等が一致する地域を示し、例えば日本全国を３１箇所に分割して設定される。記憶部３２には、日本全国を３１箇所に分割した地域情報が予め記憶されており、ＧＰＳ情報受信部８２からの車両の位置情報に基づいて、デジタルデータ受信機１０が搭載されている車両が、現在どの地域内に存在するかを制御部３４が検出できるように構成されている。
【００３４】
図２に示す設定画面１００を用いて入力された優先番組情報は、登録スイッチ１１０をＯＮすることによって、制御部３４によって記憶部３２に記憶される。
【００３５】
図３（ａ）はデジタルデータ受信機１０の現在情報、図３（ｂ）は取得された地域（関東１）におけるＥＰＧデータの一例を示す図である。デジタルデータ受信機１０の現在情報は、現時点の地域情報３０１、日にち情報３０２、曜日情報３０３、時刻情報３０４及び時間帯情報３０５から構成されている。前述したように、現時点の地域情報３０１は、ＧＰＳ情報受信部８２からの車両の位置情報に基づいて、デジタルデータ受信機１０が搭載されている車両が、現在どの地域内に存在するかを制御部３４が検出した結果である。
【００３６】
ＴＳデコード処理部１６から取得されたＥＰＧデータは、チャネルＮｏ情報３０１、番組ジャンル情報３１１、番組名情報３１３、放送開始時刻情報３１３、放送終了時刻情報３１４等から構成される。なお、図３(ａ）及び（ｂ）はデータ構成の一例であって、様々な改変が可能である。
【００３７】
図４に、ユーザ設定に基づいて番組を表示する処理フローの一例を示す。
【００３８】
最初に、各放送局から、ＭＰＥＧ２方式で符号化された符号化データによる弱階層データと、ＭＰＥＧ４方式又はＨ．２６４方式で符号化された符号化データによる強階層データとによる同じ内容の放送プログラムが、同一の放送チャンネルにおいて階層伝送されており、デジタルデータ受信機１０は、電源がＯＮされた状態にされ、当該放送データを受信可能な状態にあり、デジタルデータ受信機１０の現在情報は図３（ａ）に示すものであり、取得されたＥＰＧデータは図３（ｂ）に示すものであり、ユーザが設定した優先番組情報は図７（ａ）に示す優先順位１のデータのみであるものとする（Ｓ４０１）。
【００３９】
次に、制御部３４は、ＴＶモードの選択スイッチがＯＮされたか否かを判断する（Ｓ４０２）。ＴＶモードの選択スイッチは、デジタルデータ受信機１０をデジタル放送受信機として使用するためのスイッチであり、例えば図２のファンクションキーＦ１〜Ｆ８の１つを割り当てることができる。
【００４０】
Ｓ４０２でＴＶモードの選択スイッチがＯＮされた場合には、制御部３４は、ＥＰＧデータ（図３（ｂ）参照）を記憶部３２から取得する（Ｓ４０３）。
【００４１】
次に、制御部３４は、ユーザが設定した優先番組情報（図７（ａ）参照）を記憶部３２から取得する（Ｓ４０４）。
【００４２】
次に、制御部３４は、ユーザが設定した優先番組情報に基づいて、ＥＰＧデータの検索を行い（Ｓ４０５）、合致する優先番組が存在するか否かの判断を行う（Ｓ４０６）。検索の結果、合致する優先番組が存在しない場合には、予め指定されたチャネル（例えばチャネルＮｏ．１）を選択してその放送データをディスプレイ５０に表示させ（Ｓ４１２）、一連の手順を終了する。
【００４３】
Ｓ４０６において、合致する優先番組が存在する場合には、次に制御部３４は、合致する優先番組が複数あるか否かを判断する（Ｓ４０７）。
【００４４】
検索の結果、１つの優先番組が検索された場合には、制御部３４は、ＲＦベースバンド処理部１２等を制御して、検索された優先番組をディスプレイ５０に表示させ（Ｓ４０８）、一連の手順を終了する。
【００４５】
検索の結果、複数の優先番組が発見された場合には、制御部３４は、複数の番組のチャネルＮｏ及び番組名を同時にディスプレイ５０の表示画面上に表示させる（Ｓ４０９）。例えば、ユーザ設定が、図７（ａ）の場合（金曜日、ＰＭ７〜９の時間帯、スポーツのジャンルが優先順位１）、図３（ｂ）の番組ジャンル３１１に応じて、チャネルＮｏ．４とチャネルＮｏ．８が優先順位１となる。２つの番組が同時に表示される例を図５に示す。
【００４６】
次に、制御部３４は、何れの番組を選択するのかの選択信号を受信し（Ｓ４１０）、選択された方の番組をディスプレイ５０に表示して（Ｓ４１１）、一連の手順を終了する。
選択信号は、例えば、図５に示すチャンネル４の選択用のソフトスイッチ１２１及びチャンネル８選択用のソフトスイッチ１３１によって発信される。
【００４７】
このように、図４に示す処理フローでは、図２に示す設定画面１００を用いて入力した図７（ａ）に示す優先番組情報に応じて、番組を自動的に検索して表示することが可能となった。
【００４８】
図６に、ユーザ設定に基づいて番組を表示する処理フローの他の例を示す。
【００４９】
最初に、各放送局から、ＭＰＥＧ２方式で符号化された符号化データによる弱階層データと、ＭＰＥＧ４方式又はＨ．２６４方式で符号化された符号化データによる強階層データとによる同じ内容の放送プログラムが、同一の放送チャンネルにおいて階層伝送されており、デジタルデータ受信機１０は、電源がＯＮされた状態にされ、当該放送データを受信可能な状態にあり、デジタルデータ受信機１０の現在情報は図３（ａ）に示すものであり、取得されたＥＰＧデータは図３（ｂ）に示すものであり、ユーザが設定した優先番組情報は図７（ｂ）に示す優先順位１及び優先順位２のデータであるものとする（Ｓ６０１）。
【００５０】
次に、制御部３４は、「スキャンスイッチ」がＯＮされたか否を判断する（Ｓ６０２）。「スキャンスイッチ」とは、チャンネルを１つづつ、順次自動更新するためのスイッチであって、例えば、図２に示すファンクションスイッチＦ１〜Ｆ８の中の１つを「スキャンスイッチ」に割り当てることができる。
【００５１】
次に、制御部３４は、記憶部３２から優先番組情報（図７（ｂ）参照）を取得する（Ｓ６０３）。
【００５２】
次に、制御部３４は、Ｎ＝１と設定し（Ｓ６０４）、チャンネル１の番組情報を記憶部３２に記憶されているＥＰＧデータ（図３（ｂ）参照）から取得する（Ｓ６０５）。
【００５３】
次に、制御部３４は、チャンネル１が、ユーザが設定した優先順位１のジャンルの番組か否かを判断し（Ｓ６０６）、そうであればその番組を５秒間、ディスプレイ５０に表示するように制御し（Ｓ６０７）、そうでなければＳ６０８へ進む。
【００５４】
次に、制御部３４は、チャンネルが一巡したか否かを判断し（Ｓ６０８）、一巡していなければ、Ｎ＝Ｎ＋１と設定して（Ｓ６０９）、再びＳ６０５に戻る。このようにして、全てのチャンネルについて、ユーザが設定した優先順位１に該当するジャンルの番組か否かが判断される。例えば、図７（ｂ）の示したユーザ設定及び図３（ｂ）に示したＥＰＧデータの場合には、最初にチャンネル４(野球放送）が選択されて５秒間表示され、次にチャンネル８（サッカー）が選択されて５秒間表示されることとなる。なお、Ｓ６０９で、Ｎ＝Ｎ＋１と設定したことによりチャンネルが１ずつインクリメントされることとなるが、初めから、その地域には存在しないチャンネルが判明している場合には、その番号をスキップすることができる。
【００５５】
全てのチャンネルについて優先順位１に該当するジャンルの番組か否かを判断し終わった場合には、Ｓ６０８からＳ６１０へ進み、今後は優先順位２について同様の手順が繰り返される（Ｓ６１０〜Ｓ６１５）。例えば、図７（ｂ）の示したユーザ設定及び図３（ｂ）に示したＥＰＧデータの場合には、最初にチャンネル１（△△ニュース）が選択されて５秒間表示され、次にチャンネル１３(世界のニュース）が選択されて５秒間表示されることとなる。なお、Ｓ６１５で、Ｎ＝Ｎ＋１と設定したことによりチャンネルが１ずつインクリメントされることとなるが、初めから、その地域には存在しないチャンネルが判明している場合には、その番号をスキップすることができる。
【００５６】
全てのチャンネルについて優先順位２に該当するジャンルの番組か否かを判断し終わった場合には、Ｓ６１４からＳ６１６へ進み、今度は、各チャネルについて受信電界の状態が判断される。
【００５７】
次に、制御部３４は、Ｎ＝１と設定し（Ｓ６１６）、チャンネル１についての強階層及び弱階層の受信電界の状態をＯＦＤＭ復調処理部１４から受信したエラー信号に基づいて判断する（Ｓ６１７、Ｓ６１８）。強階層又は弱階層の受信電界が良好な場合には、制御部３４は、その番組をディスプレイ５０に５秒間表示する（Ｓ６１９）。強階層及び弱階層とも受信電界が良好な場合には、弱階層を選択するように、映像切換処理部２４等を制御することが好ましい。強階層及び弱階層の何れの受信電界も不良な場合には、表示を行わず、Ｓ６２０へ進む。
【００５８】
次に、制御部３４は、チャンネルが一巡したか否かを判断し（Ｓ６２０）、一巡していなければ、Ｎ＝Ｎ＋１と設定して（Ｓ６２１）、再びＳ６１７に戻る。このようにして、全てのチャンネルについて、受信電界が良好であるか否かが判断され、強階層又は弱階層の受信電界が良好なチャンネルは、５秒間ずつディスプレイ５０に表示される。なお、Ｓ６２１で、Ｎ＝Ｎ＋１と設定したことによりチャンネルが１ずつインクリメントされることとなるが、初めから、その地域には存在しないチャンネルが判明している場合には、その番号をスキップすることができる。
【００５９】
Ｓ６２０で、チャンネルが一巡したと判断された場合には、一連の手順を終了する。
【００６０】
このようにして、一順目のチャンネルスキャンではユーザが設定した優先順位１のジャンルの番組が検索されて５秒間ずつ表示され、ニ順目のチャンネルスキャンではユーザが設定した優先順位２のジャンルの番組が検索されて５秒間ずつ表示され、三順目のチャンネルスキャンでは受信電界が良好なチャンネルの番組が検索されて５秒間ずつ表示されることとなる。
【００６１】
図６の処理フローでは、優先順位１及び優先順位２について２順のチャンネルスキャンを行ったが、優先順位１のみしか設定されていない場合には、優先順位２のためのチャンネルスキャンをスキップすることが好ましい。逆に、優先順位３についての設定がなされている場合には、優先順位３についてのチャンネルスキャンを追加することが好ましい。
【００６２】
図６の処理フローでは、優先順位のチャンネルスキャンの後に、受信状態（例えば、電界強度が高い）が良好なチャンネルを表示するチャンネルスキャンを行ったが、受信電界が良好なチャンネルを順次表示するチャンネルスキャンのみを独立して行うことも可能である。また、優先順位のチャンネルスキャンについても、先ずその中で受信状態が良好なチャンネルを順次表示し、次にその優先順位の残りを順次表示すると言った方法も可能である。さらに、図６の処理フローの一順目及び又は２順目のチャンネルスキャンと三順目のチャンネルスキャンを同時に行い、受信電界が良好且つユーザが設定した優先順位に合致した番組の放送データのみをディスプレイ５０へ出力するように制御することもできる。
【００６３】
図６の処理フローにおいて、ユーザは、番組が表示される５秒間の間に所定のソフトスイッチ又はハードスイッチをＯＮすることによって、その番組を視聴し続けるようにすることが好ましい。なお、番組が表示される５秒は一例であって、他の設定が可能であるとともに、ユーザによる操作入力手段によってユーザの好みに合わせた表示時間の設定ができるようにすることが好ましい。
【図面の簡単な説明】
【００６４】
【図１】本発明に係るデジタルデータ受信機の概要を示すブロック図である。
【図２】ユーザ設定画面の一例を示す図である。
【図３】(ａ）は現状情報の一例を示し、（ｂ）はＥＰＧデータ等の一例を示す図である。
【図４】表示処理フローの一例を示す図である。
【図５】複数番組を表示する例を示す図である。
【図６】表示処理フローの他の例を示す図である。
【図７】ユーザ設定の一例を示す図である。
【符号の説明】
【００６５】
１０    デジタルデータ受信機
１４    ＯＦＤＭ復調処理部
１６    ＴＳデコード処理部
１８    オーデイオでコーダ
２０    第１ビデオデコーダ
２２    第２ビデオデコーダ
２４    映像切換処理部
２６    提示処理部
３２    記憶部
３４    制御部
５０    ディスプレイ
６０    スピーカ
７０    リモコン
８４    ＧＰＳ情報受信部
【図１】
2006074455.tif 000003
【図２】
2006074455.tif 000004
【図３】
2006074455.tif 000005
【図４】
2006074455.tif 000006
【図５】
2006074455.tif 000007
【図６】
2006074455.tif 000008
【図７】
2006074455.tif 000009